(57)【要約】【課題】  イメージデータとテキストデータとを出力するシステム及び方法を提供する。【解決手段】  イメージデータファイルに関するリンク情報、イメージデータファイルを識別するファイル識別情報及びテキストデータを含む文書データを伝送した後、ファイル識別情報により識別されるイメージデータファイルを伝送するモバイル機器及び文書データを受信してリンク情報によりリンクされるイメージデータファイルを識別するファイル識別情報を抽出し、抽出されたファイル識別情報により識別されるイメージデータファイルを受信し、該受信されたイメージデータファイルとテキストデータとを出力する出力機器を含むシステム。【選択図】図２
2006053895.tif 000002
【特許請求の範囲】
【請求項１】
イメージデータファイルに関するリンク情報、前記イメージデータファイルを識別するファイル識別情報及びテキストデータを含む文書データを伝送した後、前記ファイル識別情報により識別されるイメージデータファイルを伝送するモバイル機器と、
前記文書データを受信して前記リンク情報によりリンクされるイメージデータファイルを識別するファイル識別情報を抽出し、前記抽出されたファイル識別情報により識別されるイメージデータファイルを受信し、該受信されたイメージデータファイルと前記テキストデータとを出力する出力機器と
を含むイメージデータとテキストデータとを出力するシステム。
【請求項２】
前記文書データは、ＭＩＭＥ（Ｍｕｌｔｉｐｕｒｐｏｓｅ Ｉｎｔｅｒｎｅｔ Ｍａｉｌ Ｅｘｔｅｎｓｉｏｎ）規格に従って作成される請求項１に記載のイメージデータとテキストデータとを出力するシステム。
【請求項３】
前記リンク情報、前記ファイル識別情報及びテキストデータは、マークアップ言語により記述される請求項１に記載のイメージデータとテキストデータとを出力するシステム。
【請求項４】
前記リンク情報は、ＸＨＴＭＬ（ｅＸｔｅｎｓｉｂｌｅ Ｈｙｐｅｒ Ｔｅｘｔ Ｍａｒｋｕｐ Ｌａｎｇｕａｇｅ）により記述される請求項３に記載のイメージデータとテキストデータとを出力するシステム。
【請求項５】
前記テキストデータは、ＸＨＴＭＬにより記述される請求項３に記載のイメージデータとテキストデータとを出力するシステム。
【請求項６】
前記ファイル識別情報は、ＸＭＬ（ｅＸｔｅｎｓｉｂｌｅ Ｍａｒｋｕｐ Ｌａｎｇｕａｇｅ）により記述される請求項３に記載のイメージデータとテキストデータとを出力するシステム。
【請求項７】
イメージデータファイルまたはテキストデータを保存する保存モジュールと、
ユーザから出力機器に出力するイメージデータファイルとテキストデータとを指定したデータを入力されるユーザインターフェースモジュールと、
前記入力されたデータによって指定されたイメージデータファイルが前記保存モジュールに保存されている場所を示すリンク情報、前記指定されたイメージデータファイルを識別するファイル識別情報及び前記テキストデータを含む文書データを生成し、前記出力機器から要請されたファイル識別情報により識別されるイメージデータファイルを前記保存モジュールから抽出する制御モジュールと、
前記制御モジュールから前記文書データを受信して前記出力機器に伝送し、前記抽出されたイメージデータファイルを前記制御モジュールから受信して前記出力機器に伝送する  外部機器インターフェースモジュールと
を含むイメージデータとテキストデータとを出力するためのモバイル機器。
【請求項８】
前記文書データは、ＭＩＭＥ（Ｍｕｌｔｉｐｕｒｐｏｓｅ Ｉｎｔｅｒｎｅｔ Ｍａｉｌ Ｅｘｔｅｎｓｉｏｎ）規格に従って作成される請求項７に記載のイメージデータとテキストデータとを出力するためのモバイル機器。
【請求項９】
前記リンク情報、前記ファイル識別情報及びテキストデータは、マークアップ言語により記述される請求項７に記載のイメージデータとテキストデータとを出力するためのモバイル機器。
【請求項１０】
前記リンク情報は、ＸＨＴＭＬ（ｅＸｔｅｎｓｉｂｌｅ Ｈｙｐｅｒ Ｔｅｘｔ Ｍａｒｋｕｐ Ｌａｎｇｕａｇｅ）により記述される請求項９に記載のイメージデータとテキストデータとを出力するためのモバイル機器。
【請求項１１】
前記テキストデータは、ＸＨＴＭＬにより記述される請求項９に記載のイメージデータとテキストデータとを出力するためのモバイル機器。
【請求項１２】
前記ファイル識別情報は、ＸＭＬ（ｅＸｔｅｎｓｉｂｌｅ Ｍａｒｋｕｐ Ｌａｎｇｕａｇｅ）により記述される請求項９に記載のイメージデータとテキストデータとを出力するためのモバイル機器。
【請求項１３】
前記ユーザインターフェースモジュールは、ユーザからテキストデータを直接入力される請求項７に記載のイメージデータとテキストデータとを出力するためのモバイル機器。
【請求項１４】
モバイル機器が、イメージデータファイルに関するリンク情報、前記イメージデータファイルを識別するファイル識別情報及びテキストデータを含む文書データを出力機器に伝送する（ａ）段階と、
前記出力機器が、前記文書データを受信して前記リンク情報を抽出する（ｂ）段階と、
前記出力機器が、前記抽出されたリンク情報を用いてリンクされるイメージデータファイルを識別するファイル識別情報を獲得して前記モバイル機器に伝送する（ｃ）段階と、
前記モバイル機器が、前記受信したファイル識別情報に対応するイメージデータファイルを前記出力機器に伝送する（ｄ）段階と、
前記出力機器が、前記テキストデータと前記イメージデータファイルとを出力する（ｅ）段階と
を含むイメージデータとテキストデータとを出力する方法。
【請求項１５】
前記（ａ）段階は、
前記モバイル機器が、ユーザから前記出力機器に出力するイメージデータファイルとテキストデータとを指定したデータを入力される（ａ−１）段階と、
前記モバイル機器が前記入力されたデータによって指定されたイメージデータファイルに関するリンク情報、前記指定されたイメージデータファイルを識別するファイル識別情報及び前記テキストデータを含む文書データを生成する（ａ−２）段階と、
前記モバイル機器が前記生成された文書データを出力機器に伝送する（ａ−３）段階と
を含む請求項１４に記載のイメージデータとテキストデータとを出力する方法。
【請求項１６】
前記（ａ−１）段階は、ユーザがテキストデータを直接入力する段階を含む請求項１５に記載のイメージデータとテキストデータとを出力する方法。
【請求項１７】
前記文書データは、ＭＩＭＥ（Ｍｕｌｔｉｐｕｒｐｏｓｅ Ｉｎｔｅｒｎｅｔ Ｍａｉｌ Ｅｘｔｅｎｓｉｏｎ）規格に従って作成される請求項１４に記載のイメージデータとテキストデータとを出力する方法。
【請求項１８】
前記リンク情報、前記ファイル識別情報及びテキストデータは、マークアップ言語により記述される請求項１４に記載のイメージデータとテキストデータとを出力する方法。
【請求項１９】
前記リンク情報は、ＸＨＴＭＬ（ｅＸｔｅｎｓｉｂｌｅ Ｈｙｐｅｒ Ｔｅｘｔ Ｍａｒｋｕｐ Ｌａｎｇｕａｇｅ）により記述される請求項１８に記載のイメージデータとテキストデータとを出力する方法。
【請求項２０】
前記テキストデータは、ＸＨＴＭＬにより記述される請求項１８に記載のイメージデータとテキストデータとを出力する方法。
【請求項２１】
前記ファイル識別情報は、ＸＭＬにより記述される請求項１８に記載のイメージデータとテキストデータとを出力する方法。
【請求項２２】
モバイル機器から所定のイメージデータファイルを識別するファイル識別情報及びテキストデータを受信するデータ送受信モジュールと、
前記ファイル識別情報に対応するイメージデータファイルと前記テキストデータとが合成された出力イメージを生成するデータ処理モジュールと、
前記出力イメージを出力する出力モジュールと
を含み、
前記データ送受信モジュールが前記モバイル機器に前記ファイル識別情報に対応するイメージデータファイルを要請し、前記要請されたイメージデータファイルを受信して前記データ処理モジュールに伝達する出力機器。
【請求項２３】
前記ファイル識別情報及び前記テキストデータは、１つの文書データに含まれて受信される請求項２２に記載の出力機器。
【請求項２４】
モバイル機器から所定のイメージデータファイルを識別するファイル識別情報及びテキストデータを受信する（ａ）段階と、
前記モバイル機器に対して前記ファイル識別情報に対応するイメージデータファイルを要請して受信する（ｂ）段階と、
前記イメージデータファイルと前記テキストデータとを合成して出力イメージを生成する（ｃ）段階と、
前記出力イメージを出力する（ｄ）段階と
を含むイメージデータとテキストデータとを出力する方法。
【請求項２５】
前記（ａ）段階は、１つの文書データに前記ファイル識別情報及び前記テキストデータを含んで受信する段階を含む請求項２４に記載のイメージデータとテキストデータとを出力する方法。
【請求項２６】
イメージデータファイルを識別するファイル識別情報及びテキストデータを出力機器に伝送する（ａ）段階と、
前記出力機器から前記ファイル識別情報に対応するイメージデータファイルの伝送要請を受信する（ｂ）段階と、
前記要請によって前記イメージデータファイルを前記出力機器に伝送する（ｃ）段階と
を含むイメージデータとテキストデータとを出力する方法。
【請求項２７】
前記（ａ）段階は、ユーザが前記出力機器に出力するイメージデータファイルとテキストデータとを指定する（ａ−１）段階と、
前記指定されたイメージデータファイルを識別するファイル識別情報及び前記テキストデータを含む文書データを生成する（ａ−２）段階と、
前記生成された文書データを前記出力機器に伝送する（ａ−３）段階と、を含む請求項２６に記載のイメージデータとテキストデータとを出力する方法。
【発明の詳細な説明】
【技術分野】
【０００１】
本発明は、イメージデータとテキストデータとの出力に係り、より詳細には、イメージをキャプチャし、キャプチャされたイメージが見られるモバイル機器をプリンタのような出力機器と連結してテキストデータとイメージデータとを出力するシステム及び出力方法に関する。
【背景技術】
【０００２】
最近、通信機術の発達によって多様な機能を有するモバイル機器が登場し、その代表的なものとしてイメージキャプチャ機能を有するモバイル機器がある。
【０００３】
かかるモバイル機器は、キャプチャされたイメージを多様な伝送媒体を通じてプリンタのような出力機器に伝送して出力させる機能も提供するが、この際、モバイル機器と出力機器との間には互いに約束されたプロトコルを用いて通信を行う。
【０００４】
図１は、従来の技術に係るイメージデータを出力する過程を示す例示図であって、説明の便宜上、携帯電話１１０及びプリンタ１２０を、各々モバイル機器及び出力機器の例とする。
【０００５】
まず、ユーザがＵＳＢケーブルのような伝送媒体を用いて携帯電話１１０とプリンタ１２０とを連結すると、携帯電話１１０とプリンタ１２０との間にプリンタ確認段階を行う（Ｓ１３０）。
【０００６】
携帯電話１１０と連結可能な機器は多様に存在するので、携帯電話１１０がプリンタ１２０と連結されたことを認識するプリンタ確認段階が必要である。
【０００７】
プリンタ１２０が連結されたことが確認されると、携帯電話１１０がプリンタ情報を抽出する段階が行われる（Ｓ１４０）。この際、プリンタ情報としては、例えばプリンタ製造会社またはプリンタ固有の一連番号などがある。
【０００８】
携帯電話１１０がこのようなプリンタ情報を認識した後で、プリンタ１２０が提供する出力サービスを確認する段階が行われる（Ｓ１５０）。この際、出力サービスには、プリンタ１２０が出力可能なイメージデータの形式、カラーあるいは白黒のどちらの出力であるのかを示す情報、出力可能なイメージデータの最大データサイズなどがある。
【０００９】
携帯電話１１０が前記のような出力サービスを確認すると、出力作業が行われる（Ｓ１６０）。例えば、プリンタ１２０が携帯電話１１０に対して出力しようとするイメージデータファイルに関する情報を要請すると、これについて携帯電話１１０は、ファイル名、ファイルサイズ、ファイル形式などに関する情報をプリンタ１２０に伝送する。次いで、プリンタ１２０が該当するイメージデータファイルを要請し、これに対する応答として携帯電話１１０が要請されたイメージデータファイルを伝送することによって、ユーザが所望するイメージデータが出力される。もし、この際、正常に出力作業が行われた場合には、携帯電話１１０のディスプレイ画面に‘Ｊｏｂ Ｅｎｄ'のように正常に出力作業が終わったことを示すメッセージが表示されうる。また、正常に出力作業が行われていない場合には、該当するエラーメッセージが表示されうる。
【００１０】
このように従来には携帯電話１１０などのモバイル機器とプリンタ１２０などの出力機器とを直接連結してイメージデータを出力する技術が提供されたが、テキストデータとイメージデータとを同時に出力するための技術は開示されていない。例えば、従来の技術によれば、ユーザがカメラ付き携帯電話を用いて特定の人を撮影した場合、撮影された人の名前をユーザが直接、撮影された写真に入力することによって、ユーザが入力したテキストデータとユーザが撮影したイメージデータとを同時に出力することはできなくなる。
【００１１】
したがって、今後ユーザの要求がさらに多様になりえるという点を考慮するならば、ユーザが入力したテキストデータまたは既に保存されたテキストデータをイメージデータと共に出力可能な方法が必要である。
【特許文献１】特開２００２−３３０３９４号公報
【発明の開示】
【発明が解決しようとする課題】
【００１２】
本発明は前記問題点を改善するために案出されたものであって、本発明の目的は、モバイル機器を用いてユーザが出力しようとするイメージデータとテキストデータとを出力機器に出力することである。
【００１３】
本発明の他の目的は、イメージデータとテキストデータとを出力する時、モバイル機器と出力機器との間にＭＩＭＥ（Ｍｕｌｔｉｐｕｒｐｏｓｅ Ｉｎｔｅｒｎｅｔ Ｍａｉｌ Ｅｘｔｅｎｓｉｏｎ）規格によって作成される文書データを送受信することである。
【００１４】
本発明のさらに他の目的は、前記文書データ内にイメージデータとテキストデータとを出力するための情報がマークアップ言語で記述される方法を提供することである。
【課題を解決するための手段】
【００１５】
前記目的を達成するための本発明の実施形態によるイメージデータとテキストデータとを出力するシステムは、イメージデータファイルに関するリンク情報、前記イメージデータファイルを識別するファイル識別情報及びテキストデータを含む文書データを伝送した後、前記ファイル識別情報により識別されるイメージデータファイルを伝送するモバイル機器及び前記文書データを受信して前記リンク情報によりリンクされるイメージデータファイルを識別するファイル識別情報を抽出し、前記抽出されたファイル識別情報により識別されるイメージデータファイルを受信し、該受信されたイメージデータファイルと前記テキストデータとを出力する出力機器とを含むことを特徴とする。
【００１６】
また、前記目的を達成するための本発明の実施形態によるイメージデータとテキストデータとを出力するモバイル機器は、イメージデータファイルまたはテキストデータを保存する保存モジュールと、ユーザから出力機器に出力するイメージデータファイルとテキストデータとを指定したデータを入力されるユーザインターフェースモジュールと、前記入力されたデータによって指定されたイメージデータファイルが前記保存モジュールに保存されている場所を示すリンク情報、前記指定されたイメージデータファイルを識別するファイル識別情報及び前記テキストデータを含む文書データを生成し、前記出力機器から要請されたファイル識別情報により識別されるイメージデータファイルを前記保存モジュールから抽出する制御モジュールと、前記制御モジュールから前記文書データを受信して前記出力機器に伝送し、前記抽出されたイメージデータファイルを前記制御モジュールから受信して前記出力機器に伝送する外部機器インターフェースモジュールとを含むことを特徴とする。
【００１７】
前記目的を達成するための本発明の実施形態によるイメージデータとテキストデータとを出力する方法は、イメージデータファイルを識別するファイル識別情報及びテキストデータを出力機器に伝送する（ａ）段階と、前記出力機器から前記ファイル識別情報に対応するイメージデータファイルの伝送要請を受信する（ｂ）段階と、前記要請によって前記イメージデータファイルを前記出力機器に伝送する（ｃ）段階とを含むことを特徴とする。
その他の実施形態の具体的な事項は詳細な説明及び図面に含まれている。
【発明の効果】
【００１８】
本発明の実施によってユーザは、モバイル機器をプリンタのような出力機器と直接連結してイメージデータだけでなく、テキストデータも出力することができる。
【発明を実施するための最良の形態】
【００１９】
本発明の利点及び特徴、そしてこれを達成する方法は添付された図面に基づいて詳細に後述されている実施形態を参照すれば明確になる。しかし、本発明は以下で開示される実施形態に限定されるものではなく、この実施形態から外れて多様な形に具現でき、本明細書で説明する実施形態は本発明の開示を完全にし、本発明が属する技術分野で当業者に発明の範囲を完全に報せるために提供されるものであり、本発明は請求項及び発明の詳細な説明により定義されるだけである。一方、明細書全体に渡って同一な参照符号は同一な構成要素を示す。
【００２０】
以下、添付した図面に基づいて本発明の実施形態によってイメージデータとテキストデータとを出力するシステムと方法をフローチャートの各ブロックとフロ−チャートと共に具体的に説明する。この時、フローチャートの各ブロックとフロ−チャートの組合わせはコンピュータプログラムインストラクションにより実行可能なのが理解できるであろう。これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装置のプロセッサーを通じて実行されるそのインストラクションがフローチャートのブロックで説明された機能を行う手段を生成するように機構を作ることができる。これらコンピュータプログラムインストラクションは、特定方式で機能を実現するために、コンピュータまたはその他のプログラマブルデータプロセッシング装置を動作させることに用いられる、コンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製品を生産することも可能である。コンピュータプログラムインストラクションはコンピュータまたはその他のプログラム可能なデータプロセッシング装置上に搭載することも可能なので、コンピュータまたはその他のプログラマブルデータプロセッシング装置上で一連の動作段階が実行されてコンピュータで実行されるプロセスを生成し、コンピュータまたはその他のプログラマブルデータプロセッシング装置が行うインストラクションはフローチャートのブロックで説明された機能を実行するための段階を提供することも可能である。
【００２１】
図２は、本発明の実施形態によってイメージデータとテキストデータとを出力するシステムを示すブロック図である。前記システムはカメラのような撮影機能を提供し、撮影された映像を外部機器と通信が可能なインターフェースを通じて伝送することができるモバイル機器２１０と、モバイル機器２１０からイメージデータまたはテキストデータを受信して出力する出力機器２５０で構成されうる。この際、モバイル機器２１０と出力機器２５０は、ＵＳＢケーブルのような有線伝送媒体または無線信号を利用する無線伝送媒体を通じて連結されうる。
【００２２】
モバイル機器２１０は、ユーザインターフェースモジュール２１５、制御モジュール２２０、外部機器インターフェースモジュール２３０、保存モジュール２２５を含む。
【００２３】
ユーザインターフェースモジュール２１５は、ユーザからテキストデータを入力されるか、保存モジュール２２５に既に保存されたテキストデータをユーザに提供する。また、ユーザインターフェースモジュール２１５は、ユーザにディスプレイ画面（図示せず）を通じて多様な形式のイメージデータファイルをディスプレイする機能を持つ。また、ユーザインターフェースモジュール２１５は、ユーザによりテキストまたはイメージデータを出力する命令を入力される。
【００２４】
保存モジュール２２５は、テキストまたはイメージデータを保存する。
【００２５】
外部機器インターフェースモジュール２３０は、有線または無線伝送媒体と連結される部分であって、伝送媒体を通じて出力機器２５０のような外部機器とデータを送受信する。
【００２６】
制御モジュール２２０は、保存モジュール２２５からテキストまたはイメージデータを抽出してユーザインターフェースモジュール２１５に伝達するか、ユーザインターフェースモジュール２１５に入力されたユーザからの命令に応じてテキストまたはイメージデータを外部機器インターフェースモジュール２３０に伝達して、出力機器２５０からテキストまたはイメージデータを出力させる。また、制御モジュール２２０は、テキストまたはイメージデータの出力のために出力機器２５０に伝送する文書データを生成し、出力機器２５０との通信を制御する役割を行う。
【００２７】
出力機器２５０は、データ送受信モジュール２５５、データ処理モジュール２６０、出力モジュール２６５を含む。
【００２８】
データ送受信モジュール２５５は、伝送媒体を通じてモバイル機器２１０とデータを送受信する。
データ処理モジュール２６０は、モバイル機器２１０から受信した文書データを解析し、テキストまたはイメージデータを出力するための動作を行う。
【００２９】
出力モジュール２６５は、データ処理モジュール２６５から出力されるテキストデータまたはイメージデータを受信して印刷用紙に出力する役割を行う。
【００３０】
一方、前記“モジュール”は、ソフトウェアまたはＦＰＧＡ（Ｆｉｅｌｄ  Ｐｒｏｇｒａｍｍａｂｌｅ  Ｇａｔｅ  Ａｒｒａｙ）または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、所定の機能を持つ。即ち、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、前述のモジュールは、一例としてソフトウェア構成要素、オブジェクト指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。のみならず、構成要素及びモジュールは 通信システム内の１つまたはそれ以上のコンピュータを動作させるように具現されることもある。
【００３１】
以下、それぞれのモジュール間の動作を図３に示しているフローチャートと共に具体的に説明する。この際、本発明についての説明を容易にするために、図３において、携帯電話３１０及びプリンタ３２０を、各々モバイル機器２１０及び出力機器２５０の例とする。
【００３２】
一方、本発明は、図１で示した従来の方法のうち、出力サービス段階（Ｓ１６０）を改善するためのものであるために、実質的な出力サービスを行う前の段階は、従来のようにプリンタを確認する段階（Ｓ１３０）と、プリンタ情報を抽出する段階（Ｓ１４０）と、そして出力サービスを確認する段階（Ｓ１５０）とを経るか、これと類似した段階を経る。
【００３３】
まず、ユーザは、ユーザインターフェースモジュール２１５を利用して出力しようとするテキストデータとイメージデータとを選択し、出力命令を行う（Ｓ３３０）。
【００３４】
この際、イメージデータは、保存モジュール２２５に既に保存されたイメージデータファイルの中から選択されるか、ユーザが直前に撮影したイメージデータファイルが選択される。また、テキストデータは、保存モジュール２２５に既に保存されたテキストデータか、ユーザからの直接入力から選択されうる。したがって、携帯電話３１０は、テキストデータとイメージデータとを選択しうるメニューと機能ボタンとを備える。ユーザが出力しようとするテキストデータとイメージデータとを選択した後、出力命令を実行すると、ユーザインターフェースモジュール２１５が選択されたテキストデータとイメージデータに関する情報と前記出力命令とを受信して制御モジュール２２０に伝達し、制御モジュール２２０はプリンタ３２０に伝達する文書データを生成する（Ｓ３３２）。この際、前記文書データは、望ましくは、ＭＩＭＥ（Ｍｕｌｔｉｐｕｒｐｏｓｅ Ｉｎｔｅｒｎｅｔ Ｍａｉｌ Ｅｘｔｅｎｓｉｏｎ）規格に従って作成されるが、図４では、本発明の実施形態によって作成されたＭＩＭＥ基盤ファイルに記録されたコードを例示している。
【００３５】
図４に示すように、本発明の実施形態に係るＭＩＭＥ基盤ファイルは、Ａラインの上方に位置したＭＩＭＥ−ヘッダ領域と、ＡラインとＤラインとの間にあるＸＨＴＭＬ（ｅＸｔｅｎｓｉｂｌｅ Ｈｙｐｅｒ Ｔｅｘｔ Ｍａｒｋｕｐ Ｌａｎｇｕａｇｅ）で記述された第１情報領域と、Ｄラインの下方にあるＸＭＬ（ｅＸｔｅｎｓｉｂｌｅ Ｍａｒｋｕｐ Ｌａｎｇｕａｇｅ）で記述された第２情報領域とを含む。
【００３６】
第１情報領域は、出力しようとするテキストデータと、出力しようとするイメージデータとが携帯電話３１０の保存モジュール２２５に保存されている場所を示すリンク情報を含む。図４で前記出力しようとするテキストデータはＢラインで、前記リンク情報はＣラインで表現されている。
【００３７】
第２情報領域は、前記リンク情報によりリンクされるイメージデータファイルを識別するファイル識別情報を含む。図４において前記ファイル識別情報はＥライン及びＦラインで表現されている。
【００３８】
前記のような構造を有するＭＩＭＥ基盤ファイルが制御モジュール２２０により生成されると、制御モジュール２２０は外部機器インターフェースモジュール２３０を通じてプリンタ３２０に前記生成されたファイルを伝送する（Ｓ３３３）。
【００３９】
プリンタ３２０のデータ送受信モジュール２５５は、外部機器インターフェースモジュール２３０から前記生成されたＭＩＭＥ基盤ファイルを受信し、データ処理モジュール２６０に伝達する。
【００４０】
データ処理モジュール２６０は、受信したＭＩＭＥ基盤ファイルのＭＩＭＥヘッダと第１情報領域と第２情報領域のヘッダとを分析した後、第１情報領域に該当するｘｈｔｍｌファイルと第２情報領域に該当するｘｍｌファイルとを分離する（Ｓ３３４）。
【００４１】
次いで、データ処理モジュール２６０はｘｈｔｍｌファイルを分析して出力しようとするテキストデータを抽出し（Ｓ３３６）、また、出力しようとするイメージデータファイルのリンク情報を抽出する（Ｓ３３８）。
【００４２】
データ処理モジュール２６０は、ｘｈｔｍｌファイルを分析した後、第２情報領域に該当するｘｍｌファイルを分析するが、この際、ｘｈｔｍｌファイルから抽出したリンク情報を用いてリンクされたファイルを識別するファイル識別情報を獲得する（Ｓ３４２）。
【００４３】
データ処理モジュール２６０は、出力するイメージデータファイルを得るために、獲得したファイル識別情報を、データ送受信モジュール２５５を通じて携帯電話３１０の外部機器インターフェースモジュール２３０に伝送する（Ｓ３４４）。
【００４４】
外部機器インターフェースモジュール２３０は、受信したファイル識別情報を制御モジュール２２０に伝達し、制御モジュール２２０は保存モジュール２２５から前記ファイル識別情報に該当するイメージデータファイルを抽出する（Ｓ３４６）。抽出されたイメージデータファイルは、外部機器インターフェースモジュール２３０を通じてプリンタ３２０のデータ送受信モジュール２５５を経てデータ処理モジュール２６０に伝達される（Ｓ３４８、Ｓ３５０）。
【００４５】
データ処理モジュール２６０は、受信したイメージデータファイルとＳ３３６段階で抽出したテキストデータとを合成した後、出力モジュール２６５を通じて合成されたイメージを出力する（Ｓ３５２）。
【００４６】
以上説明した本発明は、本発明が属する技術分野で当業者ならば本発明の技術的思想を離脱しない範囲内でいろいろな置換、変形及び変更が可能であり、前述した実施形態及び添付された図面に限定されるものではない。
【産業上の利用可能性】
【００４７】
本発明のイメージデータとテキストデータとを出力するシステム及び方法は、多様な機能を有するモバイル機器に好適に適用されうる。
【図面の簡単な説明】
【００４８】
【図１】従来の技術に係るイメージデータを出力する過程を示す例示図である。
【図２】本発明の実施形態によってイメージデータとテキストデータとを出力するシステムを示すブロック図である。
【図３】本発明の実施形態によってイメージデータとテキストデータとを出力する過程を示すフローチャートである。
【図４】本発明の実施形態によって作成されたＭＩＭＥ−基盤ファイルに記録されたコードを示す例示図である。
【符号の説明】
【００４９】
２１０  モバイル機器
２１５  ユーザインターフェースモジュール
２２０  制御モジュール
２２５  保存モジュール
２３０  外部機器インターフェースモジュール
２５０  出力機器
２５５  データ送受信モジュール
２６０  データ処理モジュール
２６５  出力モジュール
【図１】
2006053895.tif 000003
【図２】
2006053895.tif 000004
【図３】
2006053895.tif 000005
【図４】
2006053895.tif 000006